(57)【要約】【課題】  境界部等における雑草の繁殖を低廉かつ簡素な方法で抑制し除草作業を不要とすることができる防草処理材および防草処理方法を提供する。【解決手段】本発明の防草処理方法は、アクリル酸エステルの水溶液と骨材とを混合して防草処理材１を作製する工程と、防草処理材１を所要部位２に充填する工程とを有するものである。所要部位２に充填された防草処理材１は短時間で硬化して雑草の繁殖を抑制するため、低廉かつ簡素な方法で除草作業を不要にすることができる。【選択図】図２
2015143455.tif 000002
【特許請求の範囲】
【請求項１】
アクリル酸エステルの水溶液と骨材とを混合して作製されていることを特徴とする防草処理材。
【請求項２】
前記防草処理材は、前記アクリル酸エステルの水溶液１５〜２５重量％と前記骨材７５〜８５重量％とを混合して作製されている請求項１に記載の防草処理材。
【請求項３】
前記アクリル酸エステルの水溶液は、アクリル酸エステル４０〜６０重量％と水が６０〜４０重量％混合されて作製されている請求項１または２に記載の防草処理材。
【請求項４】
前記骨材は、スラグ、天然石、天然石の焼成物、セラミックス、珪砂のうちのいずれか、またはこれらのうち二種以上の混合物にて形成されている請求項１ないし３のいずれかに記載の防草処理材。
【請求項５】
前記骨材は、０.５〜１．５ｍｍの範囲内で粒度調整されている請求項１ないし４のいずれかに記載の防草処理材。
【請求項６】
前記防草処理材は、シート材に付着され硬化されてシート状に形成されている請求項１ないし５のいずれかに記載の防草処理材。
【請求項７】
アクリル酸エステルの水溶液と骨材とを混合して防草処理材を作製する工程と、前記防草処理材を所要部位に充填する工程とを有することを特徴とする防草処理方法。
【請求項８】
前記防草処理材を充填する工程は、所要部位周辺をマスキングテープで被覆する工程と、前記防草処理材を所要部位に塗布する工程とを有している請求項７に記載の防草処理方法。
【請求項９】
前記防草処理材を所要部位に塗布する工程は、所要部位周辺の表面より３〜５ｍｍの肉厚で塗布される請求項８に記載の防草処理方法。
【請求項１０】
アクリル酸エステルの水溶液と骨材との混合物をシート材に付着および硬化させて防草処理材を作製する工程と、前記防草処理材を所要部位に張設する工程を有することを特徴とする防草処理方法。
【発明の詳細な説明】
【技術分野】
【０００１】
本発明は、道路のアスファルト、縁石や中央分離帯などのコンクリートブロック（構造物）、住宅周囲、駐車場または通路のジョイント部、セメントモルタル、スレート、煉瓦またはタイルの目地等境界部などに使用して好適な防草処理材および防草処理方法に関する。
【背景技術】
【０００２】
従来より、道路のアスファルト、コンクリートブロック（構造物）、住宅周囲、駐車場または通路のジョイント部、セメントモルタル、スレート、煉瓦またはタイルの目地等境界部には、繁殖力の強い雑草が生い茂ることが多く、景観を悪化させるのみならず、道路の幅員を狭めたり、運転者の視界を悪化させたりして交通の安全を損なうおそれがあるため、頻繁に除草作業が行われる。
【０００３】
このような除草作業は、人手等による草取りや草刈り、除草剤の散布にて行われているが、重労働でコストも嵩むため、種々の防草構造または防草処理方法が提案されている。例えば、そのようなものとして、道路舗装部と境界ブロック部との境界に沿って、所定の幅及び深さで道路舗装部の上面から凹設させた凹溝内の中間位置まで充填される無収縮性充填材と、凹溝内の上部を伸縮自在に閉鎖する伸縮性シール材とを備えた道路境界部の防草構造（実用新案登録第３１７３２８０号公報）が提案されている。
【０００４】
また、隙間部に除草剤を充填した後、モルタル等の充填物を充填して表面仕上げし、充填物の上部にプライマー等の粘着性下地塗料を塗布して設け、強力ガスバーナ等の加熱手段を用いてゆっくり加熱し、路盤に安定密着させて防草シートを形成するもの（実用新案登録第３１１４０７８号公報）が提案されている。
【０００５】
さらに、道路のブロックと舗装の段差目地において、舗装表面からブロックに向かって傾斜切込みを形成し、傾斜切込みで剥離された舗装撤去片を取除き、傾斜面に鉛直方向にカッターにより鉛直切込みを形成し、傾斜面と鉛直切込みで屈光性と屈地性に逆らう誘導路を形成し、誘導路に防草材を取付け、この防草材と舗装撤去片の撤去跡に、補修材を充填する防草構造を形成する方法（特許第５２７９９４５号公報）等が提案されている。
【０００６】
しかし、上記従来の防草処理材または防草処理方法は、煩雑な防草処理作業を要すると共に、その分コスト高になるものであった。
【先行技術文献】
【特許文献】
【０００７】
【特許文献１】実用新案登録第３１７３２８０号公報
【特許文献２】実用新案登録第３１１４０７８号公報
【特許文献３】特許第５２７９９４５号公報
【発明の開示】
【発明が解決しようとする課題】
【０００８】
そこで、本発明の課題は、境界部等における雑草の繁殖を低廉かつ簡素な方法で抑制し除草作業を不要とすることができる防草処理材および防草処理方法を提供することにある。
【課題を解決するための手段】
【０００９】
上記課題を解決するものは、アクリル酸エステルの水溶液と骨材とを混合して作製されていることを特徴とする防草処理材である。
【００１０】
前記防草処理材は、前記アクリル酸エステルの水溶液１５〜２５重量％と前記骨材７５〜８５重量％とを混合して作製されていることが好ましい。前記アクリル酸エステルの水溶液は、アクリル酸エステル４０〜６０重量％と水が６０〜４０重量％混合されて作製されていることが好ましい。前記骨材は、スラグ、天然石、天然石の焼成物、セラミックス、珪砂のうちのいずれか、またはこれらのうち二種以上の混合物にて形成されていることが好ましい。前記骨材は、０.５〜１．５ｍｍの範囲内で粒度調整されていることが好ましい。前記防草処理材は、シート材に付着され硬化されてシート状に形成されていてもよい。
【００１１】
また、上記課題を解決するものは、アクリル酸エステルの水溶液と骨材とを混合して防草処理材を作製する工程と、前記防草処理材を所要部位に充填する工程とを有することを特徴とする防草処理方法である。
【００１２】
前記防草処理材を所要部位に充填する工程は、所要部位周辺をマスキングテープで被覆する工程と、前記防草処理材を所要部位に塗布する工程とを有していることが好ましい。前記防草処理材を所要部位に塗布する工程は、所要部位周辺の表面より３〜５ｍｍの肉厚で塗布されていることが好ましい。
【００１３】
さらに、上記課題を解決するものは、アクリル酸エステルの水溶液と骨材との混合物をシート材に付着および硬化させて防草処理材を作製する工程と、前記防草処理材を所要部位に張設する工程とを有することを特徴とする防草処理方法である。
【発明の効果】
【００１４】
請求項１に記載の発明によれば、境界部等における雑草の繁殖を低廉かつ簡素な方法で抑制し除草作業を不要にすることができる。
請求項２に記載の発明によれば、上記請求項１の効果をより奏すると共に防草処理をより行い易い防草処理材となる。
請求項３に記載の発明によれば、上記請求項１の効果をより奏すると共に防草処理をより行い易い防草処理材となる。
請求項４に記載の発明によれば、上記請求項１の効果をより奏すると共に防草処理をより行い易い防草処理材となる。
請求項５に記載の発明によれば、上記請求項１の効果をより奏すると共に防草処理をより行い易い防草処理材となる。
請求項６に記載の発明によれば、上記請求項１の効果をより奏すると共に防草処理をより行い易い防草処理材となる。
請求項７に記載の発明によれば、境界部等における雑草の繁殖を低廉かつ簡素な方法で抑制し除草作業を不要にすることができる。
請求項８に記載の発明によれば、上記請求項７の効果をより奏する防草処理となる。
請求項９に記載の発明によれば、上記請求項７の効果をより奏する防草処理となる。
請求項１０に記載の発明によれば、境界部等における雑草の繁殖を低廉かつ簡素な方法で抑制し除草作業を不要にすることができる。
【図面の簡単な説明】
【００１５】
【図１】本発明の防草処理材の使用例を説明するための平面図である。
【図２】図１のＡ−Ａ線断面図である。
【図３】本発明の防草処理材の他の使用例を説明するための平面図である。
【図４】図３のＢ−Ｂ線断面図である。
【図５】本発明の防草処理材の他の実施例の平面図である。
【図６】図５のＣ−Ｃ線断面図である。
【図７】図５に示した防草処理材の使用例を説明するための平面図である。
【発明を実施するための形態】
【００１６】
本発明では、防草処理材１をアクリル酸エステルの水溶液と骨材とを混合して作製することで、防草処理材１が境界部２等所要部位に充填されると、短時間で硬化して雑草の繁殖を抑制するため、低廉かつ簡素な方法で除草作業を不要とすることができる防草処理材および防草処理方法を実現した。
【実施例１】
【００１７】
本発明の防草処理材を図１または図２に示した一実施例を用いて説明する。
この実施例の防草処理材１は、アクリル酸エステルの水溶液と骨材とを混合して作製されている。以下、各構成について詳述する。
【００１８】
アクリル酸エステルの水溶液と骨材とを混合して防草処理材１を作製する場合、アクリル酸エステルの水溶液は１５〜２５重量％の範囲内で、また骨材は７５〜８５重量％の範囲内で混合されることが好ましい。アクリル酸エステルの水溶液が１５重量％未満であると、流動性が不足して境界部２への充填（塗布）が困難となるからであり、アクリル酸エステルの水溶液が２５重量％を越えると充填（塗布）後の硬化に支障をきたすからである。より好ましくはアクリル酸エステルの水溶液２０重量％と骨材８０重量％とが混合されることである。
【００１９】
アクリル酸エステルの水溶液は、アクリル酸エステル４０〜６０重量％と水６０〜４０重量％の範囲内で混合されて作製されていることが好ましい。アクリル酸エステルと水がこの範囲内で混合されていると、充填（塗布）に際して適度な流動性を保持し良好に硬化すると共に、雑草の繁殖を抑制して低廉かつ簡素な方法で除草作業を不要とする防草処理材１となるからである。より好ましくはアクリル酸エステルと水が同量混合されて作製されていることである。
【００２０】
骨材は、防草処理材１を所要部位（境界部２）に強固に定着させると共に防草処理材１を嵩増しするために配合されるものであり、例えばスラグ、天然石、天然石の焼成物、セラミックス、珪砂のうちのいずれか、またはこれらのうち二種以上の混合物にて形成されている。なお、この実施例では、アクリル酸エステルの水溶液を含侵しやすく軽くて嵩増やしとなり短時間で硬化して緻密な防草処理材層を形成するスラグが使用されている。
【００２１】
骨材は、０.５〜１．５ｍｍの範囲内で粒度調整されていることが好ましく、骨材がこの範囲内で粒度調整されることにより、アクリル酸エステルの水溶液に良好に混合されて、適度な流動性を保持し、かつ良好に硬化すると共に、雑草の繁殖を抑制して低廉かつ簡素な方法で除草作業を不要とする防草処理材１を作製できる。
【００２２】
つぎに、図５ないし図７に示した本発明の他の実施例の防草処理材１０について説明する。
この実施例の防草処理材１０と前述した防草処理材１との相違は、防草処理材１０が、防草処理材１のように液状体ではなく、シート材１０ａの一面側にアクリル酸エステルの水溶液と骨材とを混合物（液状体）が付着（塗布）され硬化されて１０ｂが構成され、全体としてシート状に形成されている点である。
【００２３】
具体的には、この実施例の防草処理材１０は、シート材１０ａとして無機質シート（例えばガラスウールの織物）が使用されており、その上面に図６に示すように、アクリル酸エステルの水溶液と骨材との混合物が厚さ３ｍｍ程度塗布され硬化されることで１０ｂが形成されている。そして、使用時には図７に示すように、境界部２等の上面に一端同士が重なるように防草処理材１０を敷設して使用される。
【００２４】
このように、本発明の防草処理材は、防草処理材１のような液状体に限定ものではなく、シート状に構成することで、境界部２等の上面に防草処理材１０を敷設するのみで容易に防草処理を行なうことができる。なお、１０ｂの内容物に関しては防草処理材１と同様であるため詳述を省略する。また、シート材１０ａの下面に接着層、さらに、接着層の下面に、使用時に剥離して接着層を露呈させる剥離層を有するものも本発明の範疇に包含される。
【００２５】
さらに、本発明の防草処理方法を図１または図２に示した一実施例を用いて説明する。
この実施例の防草処理方法は、煉瓦５の間の境界部２の防草処理方法であって、アクリル酸エステルの水溶液と骨材とを混合して防草処理材１を作製する工程と、境界部２および境界部周辺の塗布表面３を清掃した後、乾燥させる工程と、境界部周辺の塗布表面３を研磨する工程と、防草処理材１を境界部２に充填する工程とを有しており、防草処理材１を境界部２に充填する工程は、境界部周辺の塗布表面３をマスキングテープ４で被覆する工程と、防草処理材１を境界部２および境界部周辺の塗布表面３に塗布面３より３〜５ｍｍの肉厚で塗布する工程と、マスキングテープ４を剥離する工程を有している。以下、各工程について順次詳述する。
【００２６】
アクリル酸エステルの水溶液と骨材とを混合して防草処理材１を作製する工程では、アクリル酸エステルの水溶液と骨材とを混合混練して防草処理材１を作製する。アクリル酸エステルの水溶液は１５〜２５重量％の範囲内で、また骨材は７５〜８５重量％の範囲内で混合されることが好ましい。アクリル酸エステルの水溶液が１５重量％未満であると、流動性が不足して境界部２への充填（塗布）が困難となるからであり、アクリル酸エステルの水溶液が２５重量％を越えると充填（塗布）後の硬化に支障をきたすからである。より好ましくはアクリル酸エステルの水溶液２０重量％と骨材８０重量％である。
【００２７】
前記アクリル酸エステルの水溶液は、アクリル酸エステル４０〜６０重量％と水６０〜４０重量％の範囲内で混合されて作製されていることが好ましい。アクリル酸エステルと水がこの範囲内で混合されていると、充填（塗布）に際して適度な流動性を保持し良好に硬化すると共に、雑草の繁殖を抑制して低廉かつ簡素な方法で除草作業を不要とする防草処理材１が作製されるからである。より好ましくはアクリル酸エステルと水が同量混合されて作製されていることである。
【００２８】
骨材は、防草処理材１を境界部２および境界部周辺に強固に定着させると共に防草処理材１を嵩増しするために配合されるものであり、例えばスラグ、天然石、天然石の焼成物、セラミックス、珪砂のうちのいずれか、またはこれらのうち二種以上の混合物にて形成されている。この実施例では、アクリル酸エステルの水溶液を含侵しやすく軽くて嵩増やしとなり短時間で硬化して緻密な防草処理材層を形成することができるスラグが使用されている。
【００２９】
骨材は、０.５〜１．５ｍｍの範囲内で粒度調整されていることが好ましく、骨材がこの範囲内で粒度調整されることにより、アクリル酸エステルの水溶液に良好に混合されて、適度な流動性を保持し、かつ良好に硬化すると共に、雑草の繁殖を抑制して低廉かつ簡素な方法で除草作業を不要とする防草処理材１を作製できる。
【００３０】
境界部２および境界部周辺の塗布表面３を清掃した後、乾燥させる工程では、煉瓦５の塗布表面３上のゴミや汚れを掃き清めて除去し、汚れが激しい場合は水洗い等をして清掃すると共に、境界部２内に既に草が生えている場合はそれらを除去した後、自然乾燥させる。
【００３１】
境界部周辺の塗布表面３を研磨する工程では、煉瓦５の塗布表面３を研磨機（例えばサンダー）などで研磨して塗布表面３の凹凸を研削し塗布表面３を略面一に形成することで、図１に示すように、防草処理材１を塗布表面３に帯状に付着させ確実に定着しやすくする。
【００３２】
境界部周辺の塗布表面３をマスキングテープ４で被覆する工程では、図１に示すように、境界部２の延在方向に沿って平行に、かつ境界部２の両側にそれぞれ幅５０〜１００ｍｍ程度の帯状塗布部を確保してその両側にそれぞれマスキングテープ４を仮接着させる。
【００３３】
防草処理材１を境界部２および境界部周辺の塗布表面３に塗布する工程では、塗布用具（例えば、ハケ、ローラー、コテ等）を用いて、境界部２および境界部周辺の塗布表面３（マスキングテープ４にて囲まれた部位）に防草処理材１を塗布する。この塗布は、塗布面３より３〜５ｍｍの肉厚で塗布することが好ましく、これにより、短時間（１時間ないし２時間）で容易に剥離することなく確実に定着する良好な防草処理材層が形成される。より好ましくは肉厚３ｍｍ程度である。
【００３４】
マスキングテープ４を剥離する工程では、防草処理材１が硬化した後、マスキングテープ４を剥離する。以上の工程を経て境界部の防草処理方法が完了するが、このように、本発明の防草処理方法によれば、境界部等における雑草の繁殖を低廉かつ簡素な方法で抑制し除草作業を不要とすることができる。さらに、防草処理材１により形成される防草処理層は、耐光性、耐候性および耐久性に優れており長期間に渡って除草作業を不要とすることができる。
【００３５】
さらに、図３または図４に示した本発明の防草処理方法の他の実施例について説明する。
この実施例の防草処理方法と、前述した防草処理方法との基本的な相違は、防草処理の対象となる所要部位の相違であり他は同様である。同一構成部分については同一符号を付し説明を省略する。
【００３６】
この防草処理方法の防草対象は、アスファルト６と縁石７との間の境界部８である。このように、境界部の両側に段差がある場合は、低い方のアスファルト６の上面のみにマスキングテープ４を施して、マスキングテープ４を施した部位の境界部８側の帯状部位と境界部８内に防草処理材１を塗布して防草処理を行う。
【００３７】
さらに、図７に示した本発明の防草処理方法の他の実施例について説明する。
この実施例の防草処理方法と、前述した防草処理方法との基本的な相違は、防草処理材の作製工程において、アクリル酸エステルの水溶液と骨材との混合物をシート材に塗布および硬化させてシート状に防草処理材１０を作製する点と、使用時には、シート状の防草処理材１０を所要部位（境界部など）に張設する点である。
【００３８】
具体的には、防草処理材１０の作製工程では、図６に示すように、シート材１０ａの上面にアクリル酸エステルの水溶液と骨材との混合物が厚さ３ｍｍ程度塗布され硬化されて１０ｂが形成され防草処理材１０が作製される。なお、シート材１０ａとしては、無機質シート（例えばガラスウールの織物など）が好適に使用できる。１０ｂの内容物は防草処理材１と同様であり詳述を省略する。さらに、シート材１０ａの下面に接着層、さらには、接着層の下面に、使用時に剥離して接着層を露呈させる剥離層を設けてもよい。
【００３９】
そして、使用時には、シート状の防草処理材１０を、図７に示すように、所要部位（境界部２等）の上面に一端同士が重なるように防草処理材１０を接着剤を介して敷設することで所要部位を被覆するようにして使用する。
【００４０】
このように、本発明の防草処理材は防草処理材１のような液状体に限定ものではなく、シート状に構成することで、境界部２等の上面に防草処理材１０を敷設するのみで容易に防草処理を行なうことができる。
【００４１】
なお、シート状の防草処理材としては、例えば１ｍ幅の大判のものであって、草が繁殖する部位に接着剤を介さず、載せ置くようにして使用するものも本発明の範疇に包含される。また、本発明の防草処理材の主材料であるアクリル酸エステルの水溶液（骨材を混合したもの、または骨材を混合しないもの）を、庭等において小石（骨材の一種）を敷き詰めた後、好ましくは転圧し、その後、庭一面に塗布することで防草処理を行なうこともできる。さらに、本発明の防草処理材の主材料であるアクリル酸エステルの水溶液と小石（骨材）を混合したものを庭等に敷き詰め、好ましくは転圧して防草処理を行なうこともできる。
【符号の説明】
【００４２】
１    防草処理材
２    所要部位（境界部）
３    塗布表面
４    マスキングテープ
５    煉瓦
６    アスファルト
７    縁石
８    所要部位（境界部）
【図１】
2015143455.tif 000003
【図２】
2015143455.tif 000004
【図３】
2015143455.tif 000005
【図４】
2015143455.tif 000006
【図５】
2015143455.tif 000007
【図６】
2015143455.tif 000008
【図７】
2015143455.tif 000009